【手続補正書】
【提出日】平成18年12月4日(2006.12.4)
【手続補正１】
【補正対象書類名】明細書
【補正対象項目名】請求項４
【補正方法】変更
【補正の内容】
【請求項４】  前記箱型傾斜計がＸ方向およびＹ方向の２方向の気泡式センサを備えていることを特徴とする請求項２又は３記載の箱型傾斜計の設置方法。
【手続補正２】
【補正対象書類名】明細書
【補正対象項目名】請求項１２
【補正方法】変更
【補正の内容】
【請求項１２】  前記箱型傾斜計がＸ方向およびＹ方向の２方向の気泡式センサを備えていることを特徴とする請求項１０又は１１記載の箱型傾斜計の設置装置。
【手続補正３】
【補正対象書類名】明細書
【補正対象項目名】請求項１８
【補正方法】変更
【補正の内容】
【請求項１８】  前記請求項９の箱型傾斜計の設置装置を用いて構造物の長手方向に適宜な間隔で設置せしめる複数の箱型傾斜計と、この各箱型傾斜計で構造物の長手方向とこの長手方向と直交する方向の２方向の傾斜を同時に測定された各２方向の傾斜デ−タを基にして３次元のたわみ分布を演算せしめる演算手段と、この演算手段で演算された３次元のたわみ分布並びに各傾斜デ−タを出力せしめる出力手段と、を備えていることを特徴とする構造物のたわみ分布測定装置。
【手続補正４】
【補正対象書類名】明細書
【補正対象項目名】０００９
【補正方法】変更
【補正の内容】
【０００９】
而して、アダプタを接着剤による固定方法であるため、構造物にネジ止めのための穴を開けずに済み、構造物の強度を低下させずに済む。また、設置に要する時間は短時間例えば２０分程度と短くて済む。極微細粒子物を敷き詰め、充填だけの設置方法であるから、箱型傾斜計の設置及び回収が非常に簡単である。
【手続補正５】
【補正対象書類名】明細書
【補正対象項目名】００１４
【補正方法】変更
【補正の内容】
【００１４】
請求項４によるこの発明の箱型傾斜計の設置方法は、請求項２又は３記載の箱型傾斜計の設置方法において、前記箱型傾斜計がＸ方向およびＹ方向の２方向の気泡式センサを備えていることを特徴とするものである。
【手続補正６】
【補正対象書類名】明細書
【補正対象項目名】００２２
【補正方法】変更
【補正の内容】
【００２２】
請求項８によるこの発明の箱型傾斜計の設置方法は、請求項１、２、３、４、５、又６記載の箱型傾斜計の設置方法において、前記固定手段が瞬間接着剤であることを特徴とするものである。
【手続補正７】
【補正対象書類名】明細書
【補正対象項目名】００２６
【補正方法】変更
【補正の内容】
【００２６】
而して、アダプタを固定手段としての例えば接着剤による固定方法であるため、構造物にネジ止めのための穴を開けずに済み、構造物の強度を低下させずに済む。また、設置に要する時間は短時間例えば２０分程度と短くて済む。極微細粒子物を敷き詰め、充填だけの設置方法であるから、箱型傾斜計の設置及び回収が非常に簡単である。
【手続補正８】
【補正対象書類名】明細書
【補正対象項目名】００２７
【補正方法】変更
【補正の内容】
【００２７】
請求項１０によるこの発明の箱型傾斜計の設置装置は、請求項９記載の箱型傾斜計の設置装置において、前記傾斜計が１ナノラジアンの分解機能と、鉛直から±１０度の測定レンジを持つ自動レベリング機能と、気温計と、を備えていることを特徴とするものである。
【手続補正９】
【補正対象書類名】明細書
【補正対象項目名】００２９
【補正方法】変更
【補正の内容】
【００２９】
請求項１１によるこの発明の箱型傾斜計の設置装置は、請求項１０記載の箱型傾斜計の設置装置において、前記箱型傾斜計がメモリ・デ−タ変換部を備えていることを特徴とするものである。
【手続補正１０】
【補正対象書類名】明細書
【補正対象項目名】００３１
【補正方法】変更
【補正の内容】
【００３１】
請求項１２によるこの発明の箱型傾斜計の設置装置は、請求項１０又は１１記載の箱型傾斜計の設置装置において、前記箱型傾斜計がＸ方向およびＹ方向の２方向の気泡式センサを備えていることを特徴とするものである。
【手続補正１１】
【補正対象書類名】明細書
【補正対象項目名】００３３
【補正方法】変更
【補正の内容】
【００３３】
請求項１３によるこの発明の箱型傾斜計の設置装置は、請求項９、１０、１１又は１２記載の箱型傾斜計の設置装置において、前記アダプタが薄い鉄板であることを特徴とするものである。
【手続補正１２】
【補正対象書類名】明細書
【補正対象項目名】００３５
【補正方法】変更
【補正の内容】
【００３５】
請求項１４によるこの発明の箱型傾斜計の設置装置は、請求項９、１０、１１、１２又は１３記載の箱型傾斜計の設置装置において、前記極微細粒子物の充填量が箱型傾斜計の高さの３分の２〜５分の４であることを特徴とするものである。
【手続補正１３】
【補正対象書類名】明細書
【補正対象項目名】００３７
【補正方法】変更
【補正の内容】
【００３７】
請求項１５によるこの発明の箱型傾斜計の設置装置は、請求項９、１０、１１、１２、１３又は１４記載の箱型傾斜計の設置装置において、前記極微細粒子物が乾燥珪砂であることを特徴とするものである。
【手続補正１４】
【補正対象書類名】明細書
【補正対象項目名】００３９
【補正方法】変更
【補正の内容】
【００３９】
請求項１６によるこの発明の箱型傾斜計の設置装置は、請求項９、１０、１１、１２、１３、１４又は１５記載の箱型傾斜計の設置装置において、前記固定手段が瞬間接着剤であることを特徴とするものである。
【手続補正１５】
【補正対象書類名】明細書
【補正対象項目名】００４３
【補正方法】変更
【補正の内容】
【００４３】
請求項１８によるこの発明の構造物のたわみ分布測定装置は、前記請求項９による箱型傾斜計の設置装置を用いて構造物の長手方向に適宜な間隔で設置せしめる複数の箱型傾斜計と、この各箱型傾斜計で構造物の長手方向とこの長手方向と直交する方向の２方向の傾斜を同時に測定された各２方向の傾斜デ−タを基にして３次元のたわみ分布を演算せしめる演算手段と、この演算手段で演算された３次元のたわみ分布並びに各傾斜デ−タを出力せしめる出力手段と、を備えていることを特徴とするものである。
【手続補正１６】
【補正対象書類名】明細書
【補正対象項目名】００４６
【補正方法】変更
【補正の内容】
【００４６】
まず最初に本実施の形態に使用する箱型傾斜計１について説明すると、図３を参照するに、箱型傾斜計１は例えば箱型形状の縦１２７ｍｍ、横１９１ｍｍ、高さ３８１ｍｍからなるケ−ス３内に備えた中空円筒形状の本体ケース５内の下部に設けられた自動レベリング機能７はレベリングプレート９を備え、このレベリングプレート９上に気泡式センサ１１が設けられている。この気泡式センサ１１はＸ方向およびＹ方向の２方向の傾斜角を測定すべく複数備えている。前記レベリングプレート９は複数のモータ１３を駆動せしめることにより自動レベリングが行われる。また、前記気泡式センサ１１の近傍上方には熱電対等からなる気温計１５が設けられている。
【手続補正１７】
【補正対象書類名】明細書
【補正対象項目名】００５１
【補正方法】変更
【補正の内容】
【００５１】
上記構成により、箱型傾斜計１の設置方法を説明すると、箱型傾斜計１より一回り大きい上部を開放した箱形状のアダプタ３５の底面を接着剤３９でもって構造物としての例えば橋梁２９の下フランジ３１に接着せしめる。前記アダプタ３５の内部に極微細粒子物としての珪砂３７Ａを敷いた後、前記箱型傾斜計１を敷き詰めた前記珪砂３７Ａ上に置き、ついで、前記箱型傾斜計１と前記アダプタ３５との隙間に前記珪砂３７Ａを充填して前記箱型傾斜計１を固定する。
而して、アダプタ３５を接着剤３９による固定方法であるため、橋梁２９の下フランジ３１にネジ止めのための穴を開けずに済み、構造物としての橋梁２９の強度を低下させずに済む。また、設置に要する時間は短時間例えば２０分程度と短くて済む。極微細粒子物としての珪砂３７Ａ、３７Ｂを敷き詰め、充填だけの設置方法であるから、箱型傾斜計１の設置及び回収を非常に簡単に行うことができる。
【手続補正１８】
【補正対象書類名】明細書
【補正対象項目名】００８０
【補正方法】変更
【補正の内容】
【００８０】
（６）、同じ載荷量における耳桁の垂直変化は、耳桁に載荷した場合と中桁に載荷した場合で大きく違う。一方、中桁の垂直変化は、耳桁及び中桁に載荷してもほぼ同じである。
したがって、複数個の箱型傾斜計１で、構造物としての例えば橋梁の長手方向とこの長手方向と直交する方向の２方向の傾斜を同時に測定した後、この測定された各２方向の傾斜デ−タを基にして３次元のたわみ分布を精度よく測定することができる。また、前記複数個の箱型傾斜計１を別の橋梁に設置して測定することも可能である。さらに、このたわみ測定は、ダムの貯水量変化に伴うたわみ測定、地盤変化に伴うビルディングの傾き測定に利用可能も考えられる。
【手続補正１９】
【補正対象書類名】明細書
【補正対象項目名】００８３
【補正方法】変更
【補正の内容】
【００８３】
而して、アダプタを固定手段としての例えば接着剤による固定方法であるため、構造物にネジ止めのための穴を開けずに済み、構造物の強度を低下させずに済む。また、設置に要する時間は短時間例えば２０分程度と短くて済む。極微細粒子物を敷き詰め、充填だけの設置方法であるから、箱型傾斜計の設置及び回収が非常に簡単である。
【手続補正２０】
【補正対象書類名】明細書
【補正対象項目名】００９１
【補正方法】変更
【補正の内容】
【００９１】
請求項９の発明によれば、請求項１と同様に、箱型傾斜計より一回り大きい上部を開放した箱形状のアダプタの底面を接着剤でもって構造物に接着せしめる。前記アダプタの内部に極微細粒子物を敷いた後前記箱型傾斜計を敷き詰めた前記極微細粒子物上に置き、ついで、前記箱型傾斜計と前記アダプタとの隙間に前記極微細粒子物を充填して前記箱型傾斜計を固定する。
而して、アダプタを固定手段としての例えば接着剤による固定方法であるため、構造物にネジ止めのための穴を開けずに済み、構造物の強度を低下させずに済む。また、設置に要する時間は短時間例えば２０分程度と短くて済む。極微細粒子物を敷き詰め、充填だけの設置方法であるから、箱型傾斜計の設置及び回収が非常に簡単である。
【手続補正２１】
【補正対象書類名】明細書
【補正対象項目名】００９４
【補正方法】変更
【補正の内容】
【００９４】
請求項１２の発明によれば、請求項４と同様に、箱型傾斜計がＸ方向およびＹ方向の２方向の気泡式センサを備えていることにより、Ｘ方向およびＹ方向の２方向の傾斜角を同時に測定せしめることができる。
【手続補正２２】
【補正対象書類名】明細書
【補正対象項目名】図１
【補正方法】変更
【補正の内容】
【図１】
構造物としての例えば橋梁に箱型傾斜計を設置した箱型傾斜計の設置装置断面図である。
【手続補正２３】
【補正対象書類名】明細書
【補正対象項目名】符号の説明
【補正方法】変更
【補正の内容】
【符号の説明】
１    箱型傾斜計
３    ケ−ス
５    本体ケ−ス
７    自動レベリング機能
９    レベリングプレ−ト
１１    気泡式センサ
１３    モ−タ
１５    気温計
１７    信号増幅器・アナログ／デジタル変換部
１９    メモリ・デ−タ変換部
２１    方位計
２３    バッテリ−
２５    通信ケ−ブル
２７    パソコン（制御装置）
２９    橋梁（構造物）
３１    下フランジ
３３    設置装置
３５    アダプタ
３７Ａ、３７Ｂ  珪砂（極微細粒子物）
３９    接着剤
４１    ＣＰＵ
４３    入力手段
４５    出力手段
４７    演算手段